(57)【特許請求の範囲】
【請求項１】
フラットケーブル用ノイズ吸収装置に用いられるケースであって、第１のケース部と、第２のケース部とを含み、
前記第１のケース部および前記第２のケース部のそれぞれは、収納部を有し、前記収納部は、底面板と、前記底面板の周囲に立設された側面板とによって囲まれ、前記底面板と対向する側が開口部となっており、
前記第１のケース部および前記第２のケース部は、互いに組み合わされたとき、相対する前記側面板の開口端面間にケーブル入口およびケーブル出口を構成し、
前記第１のケース部の前記側面板の開口端面と、前記第２のケース部の前記側面板の開口端面とは、前記ケーブル入口および前記ケーブル出口において、互いに向き合っており、
前記第１のケース部および前記第２のケース部は、ケーブル入口側またはケーブル出口側の少なくとも一方側において、前記側面板の内側面側に、ケーブル押え片を有しており、
前記第１のケース部の前記ケーブル押え片は、ケーブルを押えるための第１の端面と、第２の端面とを有し、
前記第１の端面は、前記側面板の前記開口端面より低い位置にあり、
前記第２の端面は、前記側面板の前記開口端面より高い位置にあり、
前記第２のケース部の前記ケーブル押え片は、ケーブルを押えるための第１の端面と、第２の端面とを有し、
前記第１の端面は、前記側面板の前記開口端面より高い位置にあり、
前記第２の端面は、前記側面板の前記開口端面より低い位置にあり、
前記第１のケース部の前記ケーブル押え片と、第２のケース部の前記ケーブル押え片とは、前記第１のケース部および前記第２のケース部が閉じられたとき、前記相対向する前記側面板の内側面側において、それぞれの前記第１の端面が互いに向き合うとともに、それぞれの前記第２の端面が互いに向き合う、
ケース。
【請求項２】
請求項１に記載されたケースであって、
前記第１のケース部および前記第２のケース部は、前記ケーブル入口側および前記ケーブル出口側のそれぞれに、前記ケーブル押え片を有している、ケース。
【請求項３】
請求項２に記載されたケースであって、
前記第１のケース部および前記第２のケース部のケーブル押え片は、前記ケーブル入口側の前記第１の端面および前記第２の端面と、前記ケーブル出口側の前記第１の端面および前記第２の端面との高さが、ケーブル挿通方向に対して左右反転して配置されている、ケース。
【請求項４】
ケースと、第１の磁性体と、第２の磁性体とを含むノイズ吸収装置において、
前記ケースは、請求項１乃至３の何れかに記載されたものでなり、
前記第１の磁性体および前記第２の磁性体は、一面に凹溝を備え、前記第１のケース部および前記第２のケース部の前記開口部を通して、それぞれの収納部の内部に配置され、互いの前記凹溝が重なって、ケーブル挿通路を構成し、
前記ケーブル押え片は、前記ケーブル挿通路の延長領域内に突出している
ノイズ吸収装置。
【発明の詳細な説明】
【０００１】
【発明の属する技術分野】
本発明は、フラットケーブル用ノイズ吸収装置及びそれに用いるケースに関する。本発明に係るノイズ吸収装置は、フラットケーブルに装着され、電子機器内で発生し、または、外部で発生して、フラットケーブル内を伝播するノイズを吸収するために用いられる。
【０００２】
【従来の技術】
従来のこの種のノイズ吸収装置は、ヒンジ部で相互に連結された上ケース部および下ケース部のそれぞれに、半割状の磁性体を収納してあった。磁性体のそれぞれは、フラットケーブル挿通路となる凹溝を有し、凹溝の両側に、接触面を有している。
【０００３】
ノイズ吸収装置をフラットケーブルに装着するに当たっては、上ケース部および下ケース部に備えられた掛止手段を開放することによって、上ケース部および下ケース部を開き、２つ備えられている磁性体の一方の凹溝内に、フラットケーブルを配置する。そして、上ケース部および下ケース部を閉じ、両者間に備えられた掛止手段を掛け止める。これにより、フラットケーブルが２つの磁性体の間に挟まれた状態になる。２つの磁性体において、凹溝の両側に位置する接触面が面接触し、フラットケーブルの周りに、両磁性体による磁路が形成される。
【０００４】
このような従来のノイズ吸収装置の問題の一つは、フラットケーブル装着後、ケーブル挿通方向に位置ずれ、移動を生じ易いことである。
【０００５】
この問題を回避すべく、実公平５−３７５１４号公報に開示されたノイズ吸収装置では、押圧摩擦部材を、ケーブル押え手段として用いている。上ケース部および下ケース部のそれぞれは、ケーブル入口部およびケーブル出口部の外に、補助ケース部を備える。前述した押圧摩擦部材は、弾性材で構成され、補助ケース部に密着されて嵌め入れるのに適切な長さ寸法及び幅寸法と、補助ケース部よりやや大きい厚み寸法とを有する直方体であって、補助ケース部のそれぞれに収納されている。このケーブル押え手段の場合、弾性材で構成されるため、押圧力が弱い。このため、ケーブルを確実に押えるためには、押圧摩擦部材のサイズを大きくする必要があり、その結果、上下ケース部の外形寸法も大きくなってしまう。
【０００６】
実開平６−６２５１５号公報に開示されたノイズ吸収装置は、信号線固定用ばねを、ケーブル押え手段として用いている。信号線固定用ばねは、上ケース部および下ケース部のそれぞれにおいて、ケーブル入口部およびケーブル出口部を構成する各側面板の端面上に設けられている。このケーブル押え手段の場合、ケーブルとの接触面積が小さいので、押圧力が大きくなり、ケーブル外被を傷つけてしまうおそれがある。
【０００７】
実公平７−５６１５号公報に開示されたノイズ吸収装置は、ケーブル支持部と、ばね部とを、ケーブル押え手段として用いている。ケーブル支持部は、上ケース部および下ケース部のそれぞれにおいて、ケーブル入口部およびケーブル出口部を構成する各側面板の端面上に配置され、前記端面上に立設された複数のばね部によって、分割支持されている。このケーブル押え手段の場合も、ケーブルとの接触面積が小さいので、押圧力が大きくなり、ケーブル外被を傷つけてしまうおそれがある。
【０００８】
【発明が解決しようとする課題】
本発明の課題は、フラットケーブル装着後に、ケーブル引き延ばし方向に位置ずれおよび移動を生じないノイズ吸収装置を提供することである。
【０００９】
本発明のもう一つの課題は、ケーブル外被を傷付けないノイズ吸収装置を提供することである。
【００１０】
本発明の更にもう一つの課題は、小型のノイズ吸収装置を提供することである。
【００１１】
【課題を解決するための手段】
上述した課題を解決するため、本発明に係るケースは、第１のケース部と、第２のケース部とを含む。
【００１２】
前記第１のケース部および前記第２のケース部のそれぞれは、収納部を有する。前記収納部は、底面板と、前記底面板の周囲に立設された側面板とによって囲まれ、前記底面板と対向する側が開口部となっている。
【００１３】
前記第１のケース部および前記第２のケース部は、互いに組み合わされたとき、相対する位置にケーブル入口およびケーブル出口を構成する。
【００１４】
前記ケーブル入口および前記ケーブル出口は、前記第１のケース部の前記側面板の開口端面と、前記第２のケース部の前記側面板の開口端面との間に生じる隙間で構成される。
【００１５】
前記第１のケース部および前記第２のケース部の少なくとも一方は、ケーブル入口側またはケーブル出口側の少なくとも片側において、前記側面板の内側近傍に、ケーブル押え片を有する。前記ケーブル押え片は、端面の少なくとも一部が前記側面板の前記開口端面より突出している。
【００１６】
本発明に係るケースは、第１の磁性体および第２の磁性体と共にノイズ吸収装置を構成する。前記第１の磁性体および前記第２の磁性体は、一面に凹溝を備え、前記第１のケース部および前記第２のケース部の前記開口部を通して、それぞれの収納部の内部に配置され、互いの前記凹溝が重なって、ケーブル挿通路を構成する。前記ケーブル押え片は、前記ケーブル挿通路の延長領域内に突出している。
【００１７】
上述したように、第１のケース部および第２のケース部のそれぞれは、収納部を有し、収納部は、底面板と、底面板の周囲に立設された側面板とによって囲まれ、底面板と対向する側が開口部となっている。第１の磁性体および第２の磁性体は、第１のケース部および第２のケース部の開口部を通して、それぞれの収納部の内部に配置される。これにより、第１および第２のケース部に、第１および第２の磁性体を組み合わせたノイズ吸収装置が得られる。
【００１８】
第１および第２のケース部は、互いに組み合わされた状態で、相対する位置にケーブル入口およびケーブル出口を構成する。ケーブル入口およびケーブル出口は、第１のケース部の側面板の開口端面と、第２のケース部の側面板の開口端面との間に生じる隙間で構成される。第１および第２の磁性体は、一面に凹溝を備え、互いの凹溝が重なって、ケーブル挿通路を構成する。
【００１９】
この構造によれば、第１および第２のケース部を開き、第１および第２の磁性体の間にフラットケーブルを配置することができる。そして、第１および第２のケース部を閉じ、２つの磁性体によって挟まれたフラットケーブルを、ケーブル挿通路の両端から磁性体の外部に導出すると共に、ケーブル入口およびケーブル出口からケースの外部に導出することができる。このとき、フラットケーブルの周りに、両磁性体による閉磁路が形成される。この閉磁路により、電子機器内で発生し、または外部で発生して、フラットケーブル内を伝播するノイズが吸収される。
【００２０】
第１のケース部および第２のケース部の少なくとも一方は、ケーブル入口またはケーブル出口の少なくとも片側に位置する側面板の内側近傍に、ケーブル押え片を有する。ケーブル押え片は、端面の少なくとも一部が側面板の開口端面より突出している。ケーブル押え片は、ケーブル挿通路の延長領域内に突出している。
【００２１】
この構造によれば、第１のケース部のケーブル入口側、第１のケース部のケーブル出口側、第２のケース部のケーブル入口側、第２のケース部のケーブル出口側の内、少なくとも一箇所において、ケーブルは、ケーブル押え片によって押し上げられ、湾曲させられる。このため、ケーブル装着後にケーブル引き延ばし方向に位置ずれを生じないノイズ吸収装置が得られる。このノイズ吸収装置は、従来のノイズ吸収装置と異なって、ケーブル外被に対して押し圧を加えるものではないから、ケーブル外被を傷つけてしまう心配がない。しかも、ケーブル押え片は、収納部の内部の側面板近傍に備えられるから、第１及び第２のケース部の外形寸法が大きくなることはない。このため、小型のノイズ吸収装置が得られる。
【００２２】
好ましくは、ケーブル押え片は、第１のケース部および第２のケース部のそれぞれに備えられる。第１のケース部および第２のケース部の何れかに設けられた場合と比較して、より高い位置ずれ防止効果が得られる。
【００２３】
更に好ましくは、ケーブル押え片は、ケーブル入口側およびケーブル出口側のそれぞれに備えられる。この構造によれば、ケーブルは、第１のケース部のケーブル入口側、第１のケース部のケーブル出口側、第２のケース部のケーブル入口側、第２のケース部のケーブル出口側の４箇所において、ケーブル押え片によって湾曲させられる。したがって、ケーブル入口側およびケーブル出口側の何れか一箇所に設けられた場合と比較して、更に高い位置ずれ防止効果が得られる。
【００２４】
更に好ましくは、ケーブル押え片は、第１の端面と、第２の端面とを含み、第１の端面は、側面板の開口端面より高い位置にあり、第２の端面は、側面板の開口端面より低い位置にある。この構造によれば、フラットケーブルは、幅方向の一方側が第１の端面によって押し上げられるので、幅方向の両側で高さが異なってしまう。その結果、ケーブルは、捻りが加わった状態となり、更に高い位置ずれ防止効果が得られる。
【００２５】
更に好ましくは、第１のケース部に備えられたケーブル押え片の第１の端面は、第２のケース部に備えられたケーブル押え片の第２の端面と向き合い、第１のケース部に備えられたケーブル押え片の第２の端面は、第２のケース部に備えられたケーブル押え片の第１の端面と向き合う。この構造によれば、フラットケーブルは、幅方向の一方側が第１のケース部の第１の端面によって押し上げられ、他方側が第２のケース部の第２の端面によって押し上げられる。したがって、第１のケース部または第２のケース部の何れか一方のケーブル押え片が、高さの異なる第１の端面と、第２の端面とを含んでいる場合と比較して、より強い捻りがケーブルに加わることになる。
【００２６】
本発明の他の目的、構成及び利点は添付された図面を参照して、更に詳しく説明する。
【００２７】
【発明の実施の形態】
図１は本発明に係るノイズ吸収装置の開いた状態を示す部分破断面斜視図、図２は本発明に係るノイズ吸収装置の閉じた状態を示す斜視図である。本発明に係るケース１は、第１の磁性体２および第２の磁性体３と共にノイズ吸収装置を構成する。
【００２８】
図３は図２の３−３線に沿った部分拡大端面図、図４は図２の４−４線に沿った部分拡大端面図、図５は図４の部分拡大図、図６は図２の６−６線に沿った部分拡大端面図、図７は図２の７−７線に沿った部分拡大端面図、図８は図７の部分拡大図、図９は本発明に係るノイズ吸収装置に用いられるケースの部分破断斜視図である。まず、ケース１について図１〜図９を参照して説明する。
【００２９】
ケース１は、第１のケース部４と、第２のケース部５とを含む。第１のケース部４は、収納部４０（図９参照）を有する。収納部４０は、底面板４１と、底面板４１の周囲に立設された側面板４２〜４５とによって囲まれ、底面板４１と対向する側が開口部となっている。同様に、第２のケース部５は、収納部５０（図９参照）を有する。収納部５０は、底面板５１と、底面板５１の周囲に立設された側面板５２〜５５とによって囲まれ、底面板５１と対向する側が開口部となっている。
【００３０】
第１のケース部４および第２のケース部５は、互いに組み合わされた状態で、相対する位置にケーブル入口１１およびケーブル出口１２を構成する。
【００３１】
ここでは、便宜上、第１のケース部４の側面板４５の開口端面４５０と、第２のケース部５の側面板５５の開口端面５５０との間に生じる隙間を、ケーブル入口１１と規定し、第１のケース部４の側面板４４の開口端面４４０と、第２のケース部５の側面板５４の開口端面５４０との間に生じる隙間を、ケーブル出口１２と規定する。
【００３２】
第１のケース部４は、側面板４４の内側近傍にケーブル押え片４０１、４０２を有し、側面板４５の内側近傍にケーブル押え片４０３、４０４を有する。ケーブル押え片４０１の端面は、側面板４４の開口端面４４０よりΔＸ１だけ低い位置にあり（図５、８参照）、ケーブル押え片４０２の端面は、側面板４４の開口端面４４０よりΔＸ２だけ高い位置にある（図５参照）。ケーブル押え片４０３の端面は、側面板４５の開口端面４５０より高い位置にあり、ケーブル押え片４０４の端面は、側面板４５の開口端面４５０より低い位置にある。
【００３３】
第２のケース部５は、側面板５４の内側近傍にケーブル押え片５０１、５０２を有し、側面板５５の内側近傍にケーブル押え片５０３、５０４を有する。ケーブル押え片５０１の端面は、側面板５４の開口端面５４０よりΔＹ１だけ高い位置にあり（図５、８参照）、ケーブル押え片５０２の端面は、側面板５４の開口端面５４０よりΔＹ２だけ低い位置にある（図５参照）。ケーブル押え片５０３の端面は、側面板５５の開口端面５５０より低い位置にあり、ケーブル押え片５０４の端面は、側面板５５の開口端面５５０より高い位置にある。
【００３４】
ケーブル入口１１側では、図３、６及び７に示すように、ケーブル押え片４０３の端面は、ケーブル押え片５０３の端面と向き合い、ケーブル押え片４０４の端面は、第２のケース部５のケーブル押え片５０４の端面と向き合う。ケーブル出口１２側では、図４乃至８に示すように、ケーブル押え片４０１の端面は、ケーブル押え片５０１の端面と向き合い、ケーブル押え片４０２の端面は、ケーブル押え片５０２の端面と向き合う。
【００３５】
実施例において、図６〜９に示すように、ケーブル押え片４０１〜４０４には、それぞれ第１の磁性体２を掛け止めるための突起４６１〜４６４が設けられており、ケーブル押え片５０１〜５０４には、それぞれ第２の磁性体３を掛け止めるための突起５６１〜５６４が設けられている。
【００３６】
第１および第２のケース部４、５は、非磁性材料によって構成する。好ましい非磁性材料の例は、プラスチックである。プラスチックであると、量産性が確保できると共に、適度のバネ性が得られる。
【００３７】
第１および第２のケース部４、５は、側面板４２と側面板５２とがヒンジ部１０（図２参照）によって連結されている。ヒンジ部１０は、第１および第２のケース部４、５と同体であり、その厚み選定によって可撓性が付与されている。
【００３８】
また、ヒンジ部１０を有する側面板４２、５２と向き合う側面板４３、５３には、互いに掛け止められる掛止手段４９１、５９１が備えられる（図１、９参照）。
【００３９】
次に、第１および第２の磁性体２、３について、図１〜８を参照して説明する。
【００４０】
第１の磁性体２は、一面に凹溝２０を備え、第１のケース部４の開口部を通して、第１のケース部４の収納部４０の内部に配置される。第２の磁性体３は、一面に凹溝３０を備え、第２のケース部５の開口部を通して、第２のケース部５の収納部５０の内部に配置される。第１および第２の磁性体２、３は、互いの凹溝２０、３０が重なって、ケーブル挿通路１３を構成する。図６〜８に示すように、ケーブル押え片４０２、４０３、５０１および５０４は、ケーブル挿通路１３の延長領域内に突出している。
【００４１】
実施例では、図５及び８に示すように、凹溝２０の底面は、側面板４４の開口端面４４０よりΔＸ３だけ低い位置にあり、凹溝３０の底面は、側面板５４の開口端面５４０よりΔＹ３だけ低い位置にある。
【００４２】
第１および第２の磁性体２、３を構成する材料としては、例えば、フェライト磁性材料、金属磁性材料、複合磁性材料等の各種磁性材料を用いることができる。複合磁性材料としては、フェライト粉または金属磁性粉と、合成樹脂とを混合した複合磁性材料の例を挙げることができる。これらの材料は、吸収しようとする周波数成分に応じて、適宜選択使用することができる。
【００４３】
図１０は本発明に係るノイズ吸収装置に用いられる磁性体の斜視図である。第１および第２の磁性体２、３の構造について、図１０を参照して更に詳細に説明する。
【００４４】
第１の磁性体２は、一面に凹部２０と、接触面２１、２２と、切欠２３とを備える。凹部２０は、一方向に延び、両端が開放されている。接触面２１、２２は、凹部２０の両側において、凹部２０の底面から立ち上がり、凹部２０に沿って延びている。切欠２３には、ケーブル押え片４０１〜４０４に設けられた突起４６１〜４６４が掛け止められる。
【００４５】
第２の磁性体３は、第１の磁性体２と同じ形状を有する。図１０では、第２の磁性体３の構成部分を指示する参照符号を、括弧内に入れて表示してある。括弧内参照符号で示されるように、第２の磁性体３も、一面に凹部３０と、接触面３１、３２と、切欠３３とを備える。凹部３０は、一方向に延び、両端が開放されている。接触面３１、３２は、凹部３０の両側において、凹部３０の底面から立ち上がり、凹部３０に沿って延びている。切欠３３には、ケーブル押え片５０１〜５０４に設けられた突起５６１〜５６４が掛け止められる。
【００４６】
第１および第２の磁性体２、３の接触面（２１、２２）、（３１、３２）の内、接触面２１と接触面３１、および、接触面２２と接触面３２とは、第１および第２のケース部４、５を組み合わせたとき、互いに対向して密着する関係にある。
【００４７】
図１１は本発明に係るノイズ吸収装置の使用状態を示す斜視図、図１２は図１１の１２−１２線に沿った部分拡大端面図、図１３は図１１の１３−１３線に沿った部分拡大端面図、図１４は図１１の１４−１４線に沿った部分拡大端面図、図１５は図１１の１５−１５線に沿った部分拡大端面図、図１６は図１１の１６−１６線に沿った部分拡大端面図、図１７は図１１の１７−１７線に沿った部分拡大端面図である。
【００４８】
上述したように、第１のケース部４は、収納部４０を有し、収納部４０は、底面板４１と、底面板４１の周囲に立設された側面板４２〜４５とによって囲まれ、底面板４１と対向する側が開口部となっている。同様に、第２のケース部５は、収納部５０を有し、収納部５０は、底面板５１と、底面板５１の周囲に立設された側面板５２〜５５とによって囲まれ、底面板５１と対向する側が開口部となっている。第１および第２の磁性体２、３は、第１および第２のケース部４、５の開口部を通して、それぞれ収納部４０、５０の内部に配置される。これにより、第１および第２のケース部４、５に、第１および第２の磁性体２、３を組み合わせたノイズ吸収装置が得られる。
【００４９】
第１および第２のケース部４、５は、互いに組み合わされた状態で、相対する位置にケーブル入口１１およびケーブル出口１２を構成する。ケーブル入口１１は、側面板４５の開口端面４５０と側面板５５の開口端面５５０との間に生じる隙間で構成され、ケーブル出口１２は、側面板４４の開口端面４４０と側面板５４の開口端面５４０との間に生じる隙間で構成される。第１および第２の磁性体２、３は、一面に凹溝２０、３０を備え、互いの凹溝２０、３０が重なって、ケーブル挿通路１３を構成する。
【００５０】
この構造によれば、第１および第２のケース部４、５を開き、第１および第２の磁性体２、３の間にフラットケーブルＦＣを配置することができる。そして、第１および第２のケース部４、５を閉じ、第１および第２の磁性体２、３によって挟まれたフラットケーブルＦＣは、ケーブル挿通路１３の両端から磁性体２、３の外部に導出すると共に、ケーブル入口１１およびケーブル出口１２からケース１の外部に導出することができる。このとき、フラットケーブルＦＣの周りに、両磁性体２、３による閉磁路が形成される。この閉磁路により、電子機器内で発生し、または外部で発生して、フラットケーブルＦＣ内を伝播するノイズが吸収される。
【００５１】
第１のケース部４は、側面板４４の内側近傍にケーブル押え片４０１、４０２を有し、側面板４５の内側近傍にケーブル押え片４０３、４０４を有する。ケーブル押え片４０２の端面は、側面板４４の開口端面４４０より高い位置にあり、ケーブル押え片４０３の端面は、側面板４５の開口端面４５０より高い位置にある。
【００５２】
同様に、第２のケース部５は、側面板５４の内側近傍にケーブル押え片５０１、５０２を有し、側面板５５の内側近傍にケーブル押え片５０３、５０４を有する。ケーブル押え片５０１の端面は、側面板５４の開口端面５４０より高い位置にあり、ケーブル押え片５０４の端面は、側面板５５の開口端面５５０より高い位置にある。
【００５３】
ケーブル押え片４０２、４０３、５０１および５０４は、ケーブル挿通路１３の延長領域内に突出している。
【００５４】
これらの構造によれば、図１２、１６及び１７に示すように、ケーブル入口１１からケース１の内部に同じ高さで挿入されたフラットケーブルＦＣは、ケーブル挿通路１３に導入される前に、図１３、１６及び１７に示すように、幅方向の一方側がケーブル押え片４０３によって押し下げられ、ケーブル押え片５０４によって押し上げられる。このとき、フラットケーブルＦＣには、矢印Ｃ１で示す方向（反時計方向）の捻りが加わる。
【００５５】
そして、フラットケーブルＦＣは、ケーブル挿通路１３から導出された後、図１４、１６及び１７に示すように、幅方向の一方側がケーブル押え片５０１によって押し上げられ、ケーブル押え片４０２によって押し下げられる。このとき、フラットケーブルＦＣには、矢印Ｃ２で示す方向（時計方向）の捻りが加わる。
【００５６】
更に、フラットケーブルＦＣは、ケーブル出口１２において、図１５、１６及び１７に示すように、幅方向の一方側が側面板４４の開口端面４４０によって押し下げられ、側面板５４の開口端面５４０によって押し上げられ、同じ高さに揃えられる。このとき、フラットケーブルＦＣには、矢印Ｃ１で示す方向（反時計方向）の捻りが加わる。
【００５７】
このように、本発明に係るノイズ吸収装置をフラットケーブルＦＣに装着すると、フラットケーブルＦＣには、ケース入口１１からケーブル出口１２に至るまで逆方向の捻りが３回加わる。このため、ケーブル引き延ばし方向の位置ずれ及び移動の問題を確実に回避することができる。このノイズ吸収装置は、従来のノイズ吸収装置と異なって、フラットケーブルＦＣの外被に対して押し圧を加えるものではないから、フラットケーブルＦＣを傷つけてしまう心配がない。しかも、ケーブル押え片４０１〜４０４は、収納部４０の内部の側面板４４、４５近傍に備えられ、ケーブル押え片５０１〜５０４は、収納部５０の内部の側面板５４、５５の近傍に備えられるから、第１及び第２のケース部４、５の外形寸法が大きくなることはない。このため、小型のノイズ吸収装置が得られる。
【００５８】
実施例では、ケーブル押え片４０１〜４０４は、第１のケース部４のケーブル入口１１の側、第１のケース部４のケーブル出口１２の側、第２のケース部５のケーブル入口１１の側、第２のケース部５のケーブル出口１２の側の４箇所全てに備えられているが、４箇所の内、少なくとも１箇所において備えられていてもよい。
【００５９】
また、実施例では、側面板４４の内側近傍に、２つのケーブル押え片４０１、４０２が備えられているが、ケーブル押え片４０１、４０２の一方が省略されていてもよいし、ケーブル押え片４０１、４０２を連続させて一体化してもよい。他の側面板４５、５４、５５に備えられたケーブル押え片についても同様である。
【００６０】
更に、実施例では、側面板４４の内側近傍に備えられた２つのケーブル押え片４０１、４０２は、端面の高さが異なっているが、同じ高さであってもよい。他の側面板４５、５４及び５５に備えられたケーブル押え片についても同様である。
【００６１】
ケーブル押え片は、図１〜８に示した以外にも、配置箇所、個数、形状等を任意に変更でき、様々な態様を採り得る。
【００６２】
図１８、１９は本発明に係るノイズ吸収装置の別の実施例を示す部分拡大端面図である。この実施例の場合、ケーブル入口１１側では、図１８に示すように、第１のケース部４がケーブル押え片４０５を備え、第２のケース部５がケーブル押え片５０５を備えており、ケーブル押え片４０５とケーブル押え片５０５とが向き合っている。ケーブル押え片４０５の端面は、一端側から他端側に向かう一つの傾斜面を形成しており、一端側が開口端面４５０より高い位置にあり、他端側が開口端面４５０より低い位置にある。ケーブル押え片５０５の端面は、一端側から他端側に向かう一つの傾斜面を形成しており、一端側が開口端面５５０より低い位置にあり、他端側が開口端面４５０より高い位置にある。
【００６３】
同様に、ケーブル出口側では、図１９に示すように、第１のケース部４がケーブル押え片４０６を備え、第２のケース部５がケーブル押え片５０６を備えており、ケーブル押え片４０６とケーブル押え片５０６とが向き合っている。ケーブル押え片４０６、５０６は、それぞれケーブル押え片４０５、５０５を左右反転させた関係にある。
【００６４】
この実施例の場合も、図１〜８に示した実施例とほぼ同様の作用効果を奏する。
【００６５】
図２０は使用状態におけるストッパの部分を拡大して示す部分破断面図、図２１は使用状態におけるバネ片の働きを示す断面図、図２２は図２を２３−２３線に沿って切断する場合において、閉じる直前の状態を示す断面図、図２３は図２の２３−２３線に沿った断面図である。
【００６６】
次に、ケース１のケーブル押え片４０１〜５０４以外の構造について、図２０〜２３を参照して更に詳細に説明する。
【００６７】
第２のケース部５の側面板５４（５５）は、図２０に示すように、凹溝３０の両側の内の少なくとも一方と、接触面３１との境界付近に対応する位置に、それぞれストッパ５７（５８）を有する。ストッパ５７（５８）は凹溝３０内に配置されるフラットケーブルＦＣの位置ずれを規制する。このような構造によれば、ノイズ吸収装置をフラットケーブルＦＣへ装着する際（図１１参照）、接触面３１の方向に移動するのを、ストッパ５７（５８）によって阻止できる。このため、フラットケーブルＦＣが、第２の磁性体３に備えられた接触面３１と、第１の磁性体２の接触面２１との間で、挟み込まれるのを確実に阻止し得る。その結果、ケーブル外皮の損傷、フラットケーブルＦＣの挟み込みに起因する特性劣化を回避することができる。しかも、フラットケーブルＦＣの挟み込みに注意する必要がなくなるので、フラットケーブルＦＣへの装着作業性が向上する。
【００６８】
ストッパ５７（５８）は、図２０に示すように、凹溝３０の側の内端面５７１（５８１）が、境界Ｐよりも、凹溝３０の側に位置する。この構造によれば、フラットケーブルＦＣが第１の磁性体２の接触面２１、２２と、第２の磁性体３の接触面３１、３２との間で挟み込まれるのを、より確実に阻止できる。
【００６９】
図示はしないが、ストッパ５７（５８）は、側面板４４（４５）の接触面２１（２２）側、または、側面板５４（５５）の接触面３２側に設けられていてもよい。これら場合も、フラットケーブルＦＣが、ストッパ５７（５８）により位置規制されるので、フラットケーブルＦＣが、第１の磁性体２に備えられた接触面２１、２２と、第２の磁性体３に備えられた接触面３１、３２との間で挟み込まれるのを確実に阻止し得る。
【００７０】
図１〜８に図示されたノイズ吸収装置は、図２１に示すように、第１のケース部４の底面板４１に、部分的切り抜きによるバネ片４１１、４１２を備え、第２のケース部５の底面板５１に、部分的切り抜きによるバネ片５１１、５１２を備える。
【００７１】
このため、掛止状態では、第１及び第２の磁性体２、３に対して、バネ片４１１、４１２、５１１、５１２によるバネ圧が加わるので、第１の磁性体２の接触面２１と第２の磁性体３の接触面３１、及び、第１の磁性体２の接触面２２と、第２の磁性体３の接触面３２とを密着させることができる。これにより、フラットケーブルＦＣの周りに、磁気効率の高い閉磁路φが形成される。
【００７２】
更に、ノイズ吸収装置は、図２２、２３に示すように、ケースずれ防止機構４９２、５９２を含む。ケースずれ防止機構４９２は第１のケース部４に構成され、ケースずれ防止機構５９２は第２のケース部５に構成される。
【００７３】
実施例において、ケースずれ防止機構４９２、５９２の内、ケースずれ防止機構４９２は、第１のケース部４の掛止手段４９１を有する側に備えられた突起（以下、突起４９２）によって構成されている。ケースずれ防止機構５９２は、第２のケース部２の掛止手段５９１を有する側に備えられた凹部（以下、凹部５９２）によって構成されている。
【００７４】
第１及び第２のケース部４、５を閉じると、図２２、２３に示すように、突起４９２が凹部５９２の内部に入るので、両者４、５が掛止手段４９１、５９１によって掛け止められたとき、方向Ｆ１またはＦ２への両者４、５の捩じれや、ずれが防止される。
【００７５】
【発明の効果】
以上述べたように、本発明によれば、次のような効果を得ることができる。
（ａ）フラットケーブル装着後に、ケーブル引き延ばし方向に位置ずれおよび移動を生じないノイズ吸収装置を提供することができる。
（ｂ）ケーブル外被を傷付けないノイズ吸収装置を提供することができる。
（ｃ）小型のノイズ吸収装置を提供することができる。
【図面の簡単な説明】
【図１】本発明に係るノイズ吸収装置の開いた状態を示す部分破断面斜視図である。
【図２】本発明に係るノイズ吸収装置の閉じた状態を示す斜視図である。
【図３】図２の３−３線に沿った部分拡大端面図である。
【図４】図２の４−４線に沿った部分拡大端面図である。
【図５】図４の部分拡大図である。
【図６】図２の６−６線に沿った部分拡大端面図である。
【図７】図２の７−７線に沿った部分拡大端面図である。
【図８】図７の部分拡大図である。
【図９】本発明に係るノイズ吸収装置に用いられるケースの部分破断面斜視図である。
【図１０】本発明に係るノイズ吸収装置に用いられる磁性体の斜視図である。
【図１１】本発明に係るノイズ吸収装置の使用状態を示す斜視図である。
【図１２】図１１の１２−１２線に沿った部分拡大端面図である。
【図１３】図１１の１３−１３線に沿った部分拡大端面図である。
【図１４】図１１の１４−１４線に沿った部分拡大端面図である。
【図１５】図１１の１５−１５線に沿った部分拡大端面図である。
【図１６】図１１の１６−１６線に沿った部分拡大端面図である。
【図１７】図１１の１７−１７線に沿った部分拡大端面図である。
【図１８】本発明に係るノイズ吸収装置の別の実施例を示す部分拡大端面図である。
【図１９】本発明に係るノイズ吸収装置の別の実施例を示す部分拡大端面図である。
【図２０】使用状態におけるストッパの部分を拡大して示す部分破断面図である。
【図２１】使用状態におけるバネ片の働きを示す断面図である。
【図２２】図２を２３−２３線に沿って切断する場合において、閉じる直前の状態を示す断面図である。
【図２３】図２の２３−２３線に沿った断面図である。
【符号の説明】
１                      ケース
１１                    ケーブル入口
１２                    ケーブル出口
１３                    ケーブル挿通路
２                      第１の磁性体
３                      第２の磁性体
４                      第１のケース部
４０１〜４０４          ケーブル押え片
５                      第２のケース部
５０１〜５０４          ケーブル押え片
【図１】
0003778414.tif 000002
【図２】
0003778414.tif 000003
【図３】
0003778414.tif 000004
【図４】
0003778414.tif 000005
【図５】
0003778414.tif 000006
【図６】
0003778414.tif 000007
【図７】
0003778414.tif 000008
【図８】
0003778414.tif 000009
【図９】
0003778414.tif 000010
【図１０】
0003778414.tif 000011
【図１１】
0003778414.tif 000012
【図１２】
0003778414.tif 000013
【図１３】
0003778414.tif 000014
【図１４】
0003778414.tif 000015
【図１５】
0003778414.tif 000016
【図１６】
0003778414.tif 000017
【図１７】
0003778414.tif 000018
【図１８】
0003778414.tif 000019
【図１９】
0003778414.tif 000020
【図２０】
0003778414.tif 000021
【図２１】
0003778414.tif 000022
【図２２】
0003778414.tif 000023
【図２３】
0003778414.tif 000024